【手続補正書】
【提出日】平成22年12月10日(2010.12.10)
【手続補正１】
【補正対象書類名】特許請求の範囲
【補正対象項目名】全文
【補正方法】変更
【補正の内容】
【特許請求の範囲】
【請求項１】
ビーコン信号を放送する方法において、
少なくともＭ個のビーコンスロットを持つビーコン期間を各々含む複数のスーパーフレームを規定するステップと、
前記複数のスーパーフレームの各々における前記ビーコン期間中に放送されるべきビーコン信号を生成するステップと、
前記ビーコン期間中の前記Ｍ個のビーコンスロットの各々の間にＭ個の異なる方向の対応する１つの方向に前記ビーコン信号を放送するステップであって、前記ビーコン信号が、各ビーコン期間中にＭ個全ての方向に放送される、当該放送するステップと、
を有する方法。
【請求項２】
前記ビーコン信号は、ペイロードデータ通信に対してビーコン受信器が受信器フレームを前記スーパーフレームと同期することを可能にするビーコンデータを含む、請求項１に記載の方法。
【請求項３】
各スーパーフレームが、ビーコン装置とビーコン受信装置との間でペイロードデータを通信する複数のデータスロットを含む、請求項１に記載の方法。
【請求項４】
前記ペイロードデータがビデオデータを含む、請求項３に記載の方法。
【請求項５】
前記Ｍ個の異なる方向の対応する１つの方向に前記ビーコン信号を選択的に放送するステップが、前記対応する方向に指向性アンテナパターンのメインローブを向けるステップを有し、前記方向の数Ｍは、前記メインローブの少なくとも一部が各ビーコン期間中に少なくとも３６０度の範囲にわたりステアリングされるような数である、請求項１に記載の方法。
【請求項６】
前記Ｍ個の異なる方向の対応する１つの方向に前記指向性アンテナパターンのメインローブを向けるステップが、フェーズドアレイアンテナをステアリングするステップを有する、請求項５に記載の方法。
【請求項７】
前記Ｍ個の異なる方向の対応する１つの方向に前記指向性アンテナパターンのメインローブをステアリングするステップが、複数のアンテナ素子の１以上を選択するステップを有し、前記複数のアンテナ素子の各々が、他のアンテナ素子と異なる中心方向を持つ対応するメインローブを提供する、請求項５に記載の方法。
【請求項８】
ビーコン信号を生成するビーコン信号生成器と、
複数のスーパーフレームの各々におけるビーコン期間中のＭ個のビーコンスロットの各ビーコンスロット中にＭ個の異なる方向の対応する１つの方向に前記ビーコン信号を放送し、各ビーコン期間中にＭ個全ての方向に前記ビーコン信号を放送する指向性アンテナシステムと、
を有するビーコン送信装置。
【請求項９】
前記指向性アンテナシステムがフェーズドアレイアンテナを有する、請求項８に記載のビーコン送信装置。
【請求項１０】
前記指向性アンテナシステムが、複数のアンテナ素子を有し、前記複数のアンテナ素子の各々が、他のアンテナ素子と異なる中心方向を持つ対応するメインローブを提供する、請求項８に記載のビーコン送信装置。
【請求項１１】
前記指向性アンテナシステムが、選択された方向に指向性アンテナパターンのメインローブを向け、前記方向の数Ｍは、前記メインローブの一部が各ビーコン期間中に少なくとも３６０度の範囲にわたりステアリングされるような数である、請求項８に記載のビーコン送信装置。
【請求項１２】
前記ビーコン信号は、ペイロードデータ通信に対してビーコン受信器がビーコン送信器と同期することを可能にするビーコンデータを含む、請求項８に記載のビーコン送信装置。
【請求項１３】
各スーパーフレームが、前記ビーコン送信装置とビーコン受信装置との間でペイロードデータを通信する複数のデータスロットを含む、請求項８に記載のビーコン送信装置。
【請求項１４】
前記ペイロードデータがビデオデータを含み、前記ビーコン送信装置が、前記ビデオデータを受信する放送テレビ受信器、ケーブルテレビ受信器、衛星テレビ受信器、ビデオテーププレーヤ、及びビデオディスクプレーヤの少なくとも１つに接続される、請求項８に記載のビーコン送信装置。
【請求項１５】
複数のスーパーフレームの各々におけるビーコン期間中のＭ個のビーコンスロットの各ビーコンスロット中にＭ個の異なる方向の選択された１つの方向にビーコン装置により放送されるビーコン信号を受信する方法において、
（１）前記スーパーフレームの１つのスーパーフレームの時間期間に実質的に等しい時間期間を持つ受信器フレーム中にＮ個の方向の第１の方向に指向性アンテナパターンのメインローブを向けるステップと、
（２）前記受信器フレーム中にビーコン信号を捜索するステップと、
（３）前記ビーコン信号が前記受信器フレーム中に検出されない場合に、次の受信器フレーム中にＮ個の方向の次の１つの方向に前記指向性アンテナパターンのメインローブを向けるステップと、
（４）前記ビーコン信号が検出されるまで前記ステップ（２）及び（３）を繰り返すステップと、
を有する方法。
【請求項１６】
前記Ｎ個の方向の第１の方向に前記指向性アンテナパターンのメインローブを向けるステップが、フェーズドアレイアンテナをステアリングするステップを有する、請求項１５に記載の方法。
【請求項１７】
前記Ｎ個の方向の第１の方向に前記指向性アンテナパターンのメインローブを向けるステップが、複数のアンテナ素子の１以上を選択するステップを有し、前記複数のアンテナ素子の各々が、他のアンテナ素子と異なる中心方向を持つ対応するメインローブを提供する、請求項１５に記載の方法。
【請求項１８】
前記方向の数Ｎは、前記メインローブの少なくとも一部が、Ｎ個の受信器フレーム中に少なくとも３６０度の範囲にわたりステアリングされるような数である、請求項１５に記載の方法。
【請求項１９】
複数のスーパーフレームの各々におけるビーコン期間中のＭ個のビーコンスロットの各ビーコンスロット中にＭ個の異なる方向の選択された１つの方向に放送されるビーコン信号を受信する無線装置において、
ビーコン信号を受信し、検出するビーコン信号検出器と、
前記ビーコン信号検出器の入力部に結合され、メインローブを含むアンテナパターンを持ち、前記スーパーフレームの１つのスーパーフレームの時間期間に実質的に等しい時間期間を各々持つ複数の受信器フレームの各々の間にＮ個の異なる方向の１つの方向に前記メインローブを向け、Ｎ個の連続した受信器時間期間中にＮ個全ての方向に前記アンテナパターンのメインローブをステアリングする指向性アンテナシステムと、
を有する無線装置。
【請求項２０】
前記指向性アンテナシステムがフェーズドアレイアンテナを有する、請求項１９に記載の無線装置。
【請求項２１】
前記指向性アンテナシステムが、複数のアンテナ素子を有し、前記複数のアンテナ素子の各々が、他のアンテナ素子と異なる中心方向を持つ対応するメインローブを提供する、請求項１９に記載の無線装置。
【請求項２２】
前記方向の数Ｎは、前記メインローブの少なくとも一部が各ビーコン期間中に少なくとも３６０度の範囲にわたりステアリングされるような数である、請求項１９に記載の無線装置。
【請求項２３】
各スーパーフレームが、複数のデータスロットを含み、前記無線装置が、前記複数のデータスロットの少なくとも１つのデータスロット中にペイロードデータを受信するデータ受信器を更に有する、請求項１９に記載の無線装置。
【請求項２４】
前記ペイロードデータがビデオデータを含み、前記無線装置が、前記ビデオデータを表示するビデオディスプレイに接続される、請求項２３に記載の無線装置。